(57)【特許請求の範囲】
【請求項１】
先端にノズルを有し、かつ、後端にフランジ部を有する円筒状のシリンダ内にピストンを挿入して押し込むことにより前記ノズルから食わせ餌を絞り出す釣りえさ用ポンプの釣りえさ絞り器において、
任意の位置に設けた支点軸を支点として揺動可能なレバーに、前記釣りえさ用ポンプの前記シリンダの外周に挿入して前記フランジ部を押圧する押圧リングを揺動可能に枢支し、前記押圧リングを、前記釣りえさ用ポンプの前記シリンダの外形寸法に対応する内径寸法を有する複数のリングを多重に、かつ、脱着可能に嵌合して形成したことを特徴とする釣りえさ絞り器。
【発明の詳細な説明】
【０００１】
【発明の属する技術分野】
本発明は、オカユや即席うどんなどの食わせ餌を釣りえさ用ポンプで絞り出す際に利用される釣りえさ絞り器に関するものである。
【０００２】
【従来の技術】
一般に、魚釣りの食わせ餌は、オカユや即席うどんなどを釣りえさ用ポンプで絞り出したものを使用している。
【０００３】
図３に示すように、上記釣りえさ用ポンプ１は、先端にノズル２ａを有する円筒状のシリンダ２と、そのシリンダ２にスライド可能に挿入されるピストン３とからなり、シリンダ２の内部にオカユや即席うどんなどを入れた後、シリンダ２内にピストン３を挿入して押し込むことによりノズル２ａからオカユや即席うどんなどからなる食わせ餌を絞り出すようになっている。
【０００４】
ところで、この種の釣りえさ用ポンプ１では、絞り出して使用する食わせ餌の硬さが様々で、やわらかい食わせ餌を絞り出す場合ならまだしも、かたい食わせ餌を絞り出す場合には相当の力を必要とする。そのため、年配の方や女性・子供は言うまでもなく、若者でさえもかたい食わせ餌を絞り出すことが困難なのが現状である。
【０００５】
そこで、釣りえさ用ポンプ１の食わせ餌を軽く絞り出す手段として、てこの応用を利用して絞り出させる釣りえさ絞り器が既に提案されている（登録実用新案公報第３００２８６７号参照）。かかる釣りえさ絞り器は、図４および図５に示すように、その先端部に上下方向に適宜間隔で複数個、例えば４個の支点溝４ａを有する支点棒４を垂直に立設した杓子状のスタンド５と、把持柄６の先端にコ字形に形成したレバー７を有し、このコ字形レバー７の先端部間に支点軸８を軸架したハンドル９とからなり、スタンド５上の任意の位置に、内部にオカユや即席うどんなどを充填したシリンダ２にピストン３を先端部を挿入した釣りえさ用ポンプ１を単に載置するか、若しくはピストン３を固定した状態で載置し、その釣りえさ用ポンプ１にコ字形レバー７を挟み込んだ状態で支点軸８を支点棒４の任意の支点溝４ａに差し込んでハンドル９を支点棒４に取付けた後、把持柄６を把持してハンドル９を下方へ回動させることにより、ハンドル９のコ字形レバー７で釣りえさ用ポンプ１のシリンダ２の後端に形成したフランジ部２ｂをてこの応用を利用して数倍の力で下向きに押圧し、これによりシリンダ２を押し下げてオカユや即席うどんなどの食わせ餌を絞り出させるようにしている。
【０００６】
【発明が解決しようとする課題】
ところで、上述した従来の釣りえさ絞り器では、てこの応用を利用して釣りえさ用ポンプ１の食わせ餌を軽く絞り出させるようにしているが、コ字形に形成したレバー７で釣りえさ用ポンプ１のシリンダ２のフランジ部２ｂを押圧してシリンダ２が押し下げられるから、シリンダ２のフランジ部２ｂの一部にてこの応用を利用して数倍になった力が集中して釣りえさ用ポンプ１が破損し易いという問題があった。
【０００７】
本発明は、斯かる問題点を解決するためになされたものであって、その目的とするところは、釣りえさ用ポンプの食わせ餌、特に硬い餌を軽く絞り出させるとともに、釣りえさ用ポンプの損傷がほとんどない釣りえさ絞り器を提供することにある。
【０００８】
【課題を解決するための手段】
上記目的を達成するため、本発明は、先端にノズルを有し、かつ、後端にフランジ部を有する円筒状のシリンダ内にピストンを挿入して押し込むことにより前記ノズルから食わせ餌を絞り出す釣りえさ用ポンプの釣りえさ絞り器において、任意の位置に設けた支点軸を支点として揺動可能なレバーに、前記釣りえさ用ポンプの前記シリンダの外周に挿入して前記フランジ部を押圧する押圧リングを揺動可能に枢支する。
【０００９】
本発明は、前記押圧リングを、前記釣りえさ用ポンプの前記シリンダの外形寸法に対応する内径寸法を有する複数のリングを多重に、かつ、脱着可能に嵌合して形成したことを特徴とする。
【００１０】
【発明の実施の形態】
以下、本発明の釣りえさ絞り器を図面に基いて説明する。
【００１１】
図１において、１１は把持し易い形状、例えば杓子形に形成した木製のスタンドで、その先端部には上下方向に適宜間隔で複数個、例えば３個の支点溝１２ａを有する例えばアルミニウムやステンレスなどの金属製の支点棒１２が垂直に立設されている。１３はハンドルで、木製の把持柄１４の先端にその先端部を切り離して対向状に張り出した例えばアルミニウムやステンレスなどの金属からなる略環状形のレバー１５を有し、この環状形レバー１５の内周に釣りえさ用ポンプ１の外周に挿入される黄銅やアルミニウムなどの金属製の押圧リング１６をピン１７を介して上下方向に揺動可能に枢支するとともに、環状形レバー１６の先端部間に上記支点棒１２の支点溝１２に差し込まれる支点軸１８を軸架している。上記押圧リング１６は、内径寸法が大径に形成された外側リング１６ａと、内径寸法が小径に形成され、外側リング１６ａ内に着脱可能に嵌合される内側リング１６ｂとの２重構造からなり、外側リング１６ａの両端部をピン１６を介して環状形レバー１５に上下方向に揺動可能に枢支している。
【００１２】
上記構成において、本発明の釣りえさ絞り器により釣りえさ用ポンプ１の食わせ餌を絞り出させるには、図２に示すように、スタンド１１上の任意の位置に、内部にオカユや即席うどんなどを充填したシリンダ２にピストン３を先端部を挿入した釣りえさ用ポンプ１を載置し、その釣りえさ用ポンプ１の外周に押圧リング１６を挿入した状態で支点軸１８を支点棒１２の支点溝１２ａに差し込んでハンドル１３を支点棒１２に取付けた後、把持柄１４を把持してハンドル１３を下方へ回動させることにより、ハンドル１３の押圧リング１６で釣りえさ用ポンプ１のシリンダ２のフランジ部２ｂをてこの応用を利用して数倍の力で下向きに押圧し、これによりシリンダ２を押し下げてオカユや即席うどんなどの食わせ餌を絞り出させる。
【００１３】
本発明の釣りえさ絞り器によれば、釣りえさ用ポンプ１のシリンダ２のフランジ部２ｂをハンドル１３の押圧リング１６で押圧してシリンダ２を押し下げるようにしたから、シリンダ２のフランジ部２ｂの全周に亘って同じ力で押圧することができ、かたい食わせ餌でも軽く絞り出すことが可能であるとともに、釣りえさ用ポンプ１の破損を避けることが可能である。
【００１４】
また、本発明の釣りえさ絞り器によれば、ハンドル１３の押圧リング１６を、大径に形成された外側リング１６ａと、その外側リング１６ａ内に着脱可能に嵌挿される小径に形成された内側リング１６ｂとの２重構造で構成したから、外側リング１６ａに対して内側リング１６ｂを脱着させることによりシリンダ２の外形寸法の異なる大・小２種類の釣りえさ用ポンプ１に対して使用可能である。
【００１５】
更に、本発明の釣りえさ絞り器によれば、ハンドル１３の支点棒１２への取付位置を変更することができるから、釣りえさ用ポンプ１の食わせ餌を最後まで絞り出しが可能である。
【００１６】
尚、本発明は上記実施の形態に限らず、例えばハンドル１３はスタンド１１に揺動可能に取付けてもよい。
【００１７】
また、押圧リング１６は２重構造に限らず、３重構造、４重構造その他の多重構造であってもよい。
【００１８】
【発明の効果】
以上説明したように、本発明によれれば、ハンドルの押圧リンクで釣りえさ用ポンプのフランジ部全周を同じ力で押圧することができ、釣りえさ用ポンプの食わせ餌を軽く押さえることで絞り出すことができるとともに、釣りえさ用ポンプの破損もほとんどない釣りえさ絞り器が提供できる。
【００１９】
また、ハンドルの押圧リングを釣りえさ用ポンプのシリンダの外形寸法に対応する内径寸法を有する複数のリングを多重に、かつ、着脱可能に嵌合して形成したから、１台で大きさの異なる複数種の釣りえさ用ポンプに使用可能な釣りえさ絞り器が提供できる。
【図面の簡単な説明】
【図１】本発明の釣りえさ絞り器の斜視図である。
【図２】本発明の釣りえさ絞り器の使用状態時の斜視図である。
【図３】釣りえさ用ポンプの斜視図である。
【図４】本発明の釣りえさ絞り器の斜視図である。
【図５】本発明の釣りえさ絞り器の使用状態時の斜視図である。
【符号の説明】
１１  スタンド
１２  支点棒
１２ａ  支点溝
１３  ハンドル
１４  把持柄
１５  環状形レバー
１６  押圧リング
１６ａ  外側リング
１６ｂ  内側リング
１７  ピン
１８  支点軸
【図１】
0004180159.tif 000002
【図２】
0004180159.tif 000003
【図３】
0004180159.tif 000004
【図４】
0004180159.tif 000005
【図５】
0004180159.tif 000006